(57)【要約】【課題】傘布が非対称形の折り畳み傘において、親骨による傘布の支持を確実しにして丈夫で見栄えよく且つ差し心地に優れたものとする。【解決手段】５箇所以上の下部ジョイント部７に標準受け骨１５が連結され、これと同数同配置の頭部ジョイント部１０に標準親骨１６が連結されて、これら標準受け骨１５と標準親骨１６とが連結されており、３箇所以上の下部ジョイント部７に長身受け骨１８が連結され、これと同数同配置の頭部ジョイント部１０に吊り骨１９が連結されおり、長身受け骨１８の先端部２１に分離親骨２３がその基端部２４より先となる部分で連結され、この基端部２４と吊り骨１９との間に子杆２５が連結され、標準親骨１６及び分離親骨２３に折り親骨３０，３１が連結され、これら標準親骨１６、分離親骨２３、折り親骨３０，３１の上面に非対称形の傘布５が張り付けられている。【選択図】図１
0003148680.tif 000002
【実用新案登録請求の範囲】
【請求項１】
下端部に把手部（２）を有する中棒（３）に下ロクロ（６）が上下動自在に設けられ、この下ロクロ（６）にはその周方向に８箇所以上の下部ジョイント部（７）が均等配置されていると共に、上記中棒（３）の頭頂部には上ロクロ（８）が設けられてその周方向に上記下部ジョイント部（７）と同数の頭部ジョイント部（１０）が均等配置されており、
周方向で互いに相隣関係を有する５箇所以上の下部ジョイント部（７）には標準長さの標準受け骨（１５）が連結されていると共に、これと同数同配置となる頭部ジョイント部（１０）には標準長の標準親骨（１６）が連結されて、これら標準受け骨（１５）の他端部（１７）と標準親骨（１６）とが連結されており、
周方向で互いに相隣関係を有する３箇所以上の下部ジョイント部（７）には上記標準受け骨（１５）よりも長い長身受け骨（１８）が連結されていると共に、これと同数同配置となる頭部ジョイント部（１０）には長身受け骨（１８）の中間部に連結して当該長身受け骨（１８）の先端部（２１）を引き上げるようにする吊り骨（１９）が連結されおり、
上記長身受け骨（１８）の先端部（２１）には上記頭部ジョイント部（１０）から離反した位置に基端部（２４）を配した分離親骨（２３）がその基端部（２４）より先となる部分で連結されていると共に、この分離親骨（２３）の基端部（２４）と上記吊り骨（１９）との間に子杆（２５）が連結され、
上記標準親骨（１６）の先端部及び上記分離親骨（２３）の先端部に折り親骨（３０，３１）が折り畳み自在に連結されていると共に、これら標準親骨（１６）、分離親骨（２３）、折り親骨（３０，３１）の上面に非対称形の傘布（５）が張り付けられている
ことを特徴とする折り畳み傘。
【請求項２】
前記下ロクロ（６）を可及的に下降させたときの頭部ジョイント部（１０）から下部ジョイント部（７）までの距離と、前記長身受け骨（１８）の長さとが同等又は長身受け骨（１８）の方が短く形成されていることを特徴とする請求項１記載の折り畳み傘。
【請求項３】
前記分離親骨（２３）の長さと、当該分離親骨（２３）に対して連結された折り親骨（３１）との長さが同等又は折り親骨（３１）の方が短く形成されていることを特徴とする請求項１又は請求項２記載の折り畳み傘。
【考案の詳細な説明】
【技術分野】
【０００１】
本考案は、折り畳み傘に関するものである。
【背景技術】
【０００２】
一般に良く知られている汎用型の傘は、下端に把手を有した中棒に対し、傘布が同心円的（中棒を中心とした回転対称形）に広がるようになっている。これに対して、中棒の一方側で傘布が外方へ大きく張り出して非対称形となるものが知られている（例えば特許文献１や特許文献２等参照）。
このように傘布が非対称形とされた傘は、例えば傘を差す手（持つ手）とは反対側の肩へ傘布の張り出し側を向けたり、或いは背中側へ向けたりすることで、肩や手荷物、或いは背中や背中に背負ったバッグ、幼児などが濡れないようにできる利点があり、重宝される。
【０００３】
傘布を中棒の一方側へ張り出させるための構造としては、中棒の頭頂部に連結された傘布用の親骨に対し、その先端に短い骨を付加させて延長するか又は親骨自体を長くするといった単純な構造（特許文献１など）を採用するのが主流であった。しかしこのような単純構造では、傘を開いたときや閉じたときの傘布の状態が見苦しいなどの問題があり、親骨自体をその長さ方向で基骨と支持骨とに二分割し、これらを関節部で連結するようにしたリンク構造が提案されるに至っている（特許文献２）。
このリンク構造において、基骨は中棒の頭頂部に関節部を介して連結されていると共に、中棒に対して上下摺動自在に設けられた下ロクロと、上記した基骨の中間部との間が、受け骨によって連結される構造となっていた。
【特許文献１】実開昭５１−１９９５３号公報
【特許文献２】特表２００８−５１７７０９号公報
【考案の開示】
【考案が解決しようとする課題】
【０００４】
リンク構造を具備した傘（特許文献２に記載のもの）では、親骨の基骨を受け骨によって下から支える構造であることから、傘を開いたとき、この基骨が斜め下方へ傾いた状態になり、従ってその先の支持骨が斜め上方へ傾斜する状態となるのが必定となっていた。すなわち、親骨が、その全体として（全長にわたり）逆反り状の屈曲状態を呈することになり、この屈曲部分上方の空中を、傘布が直線的に張られるようになる。
すなわち、この屈曲部分において傘布は親骨によっては全く支持されていない状態である。そのためテンション不足となることは避けられず、例えば強風時や大雨時、或いは降雪時などに傘布がバタついたり撓んでしまったりする（傘上面に大きな陥没が発生する）。当然、このような傘布の状態は、雨や雪の滞留を招来し、親骨の折れを誘発することにもなり、もとより見栄えや差し心地が劣悪となる欠点であることに他ならない。
【０００５】
本考案は、上記事情に鑑みてなされたものであって、傘布が非対称形とされた傘であり且つ親骨を折り畳み可能にした所謂折り畳み傘において、親骨による傘布の支持を確実しにして丈夫で見栄えよく且つ差し心地に優れた折り畳み傘を提供することを目的とする。
【課題を解決するための手段】
【０００６】
前記目的を達成するために、本考案は次の手段を講じた。
即ち、本考案に係る折り畳み傘は、下端部に把手部を有する中棒に下ロクロが上下動自在に設けられ、この下ロクロにはその周方向に８箇所以上の下部ジョイント部が均等配置されていると共に、上記中棒の頭頂部には上ロクロが設けられてその周方向に上記下部ジョイント部と同数の頭頂ジョイント部が均等配置されている。
そのうえで、周方向で互いに相隣関係を有する５箇所以上の下部ジョイントには標準長さの標準受け骨が連結されていると共に、これと同数同配置となる頭頂ジョイント部には標準長の標準親骨が連結されて、これら標準受け骨の他端部と標準親骨とが連結されている。
【０００７】
また更に、周方向で互いに相隣関係を有する３箇所以上の下部ジョイントには上記標準受け骨よりも長い長身受け骨が連結されていると共に、これと同数同配置となる頭頂ジョイント部には長身受け骨の中間部に連結して当該長身受け骨の先端部を引き上げるようにする吊り骨が連結されている。
そして、上記長身受け骨の先端部には上記頭頂部ジョイントから離反した位置に基端部を配した分離親骨がその基端部より先となる部分で連結されていると共に、この分離親骨の基端部と上記吊り骨との間に子杆が連結されている。
【０００８】
なお、上記標準親骨の先端部及び上記分離親骨の先端部には折り親骨が折り畳み自在に連結されていると共に、これら標準親骨、分離親骨、折り親骨の上面に非対称形の傘布が張り付けられている。
このような構成であるため、傘布が非対称形とされた傘であり且つ親骨を折り畳み可能にした所謂折り畳み傘において、親骨による傘布の支持が確実となり、丈夫で、見栄えよく、更には差し心地に優れたものとなる。
下ロクロを可及的に下降させたときの上部ジョイントから下部ジョイントまでの距離と、前記長身受け骨の長さとが同等又は長身受け骨の方が短く形成されたものとするのが好適である。
【０００９】
このようにすることで、この折り畳み傘を折り畳んだとき（折り姿）の見栄えが一層よくなる。
分離親骨の長さと、当該分離親骨に対して連結された折り親骨との長さが同等又は折り親骨の方が短く形成されたものとするのが好適である。
このようにすることで、この折り畳み傘を折り畳んだとき（折り姿）の見栄えが一層よくなる。
【考案の効果】
【００１０】
本考案に係る折り畳み傘は、傘布が非対称形とされた傘であり且つ親骨を折り畳み可能であって、親骨による傘布の支持を確実しにして丈夫で見栄えよく且つ差し心地に優れたものとなる。
【考案を実施するための最良の形態】
【００１１】
以下、本考案の実施の形態を、図面に基づき説明する。
図１乃至図３は、本考案に係る折り畳み傘１の一実施形態を示している。この折り畳み傘１は、下端部に把手部２を有する中棒３に対し、その一方側で傘布５が外方へ大きく張り出すような状態で、非対称形に設けられたものとなっている。すなわち、図１から明かなように、中棒３の一方側（図１左側）の張り出し長さＬ１が、他方側（図１右側）の張り出し長さＬ２よりも大きくなっている（図２も併せて参照）。
中棒３は、太さの異なる複数段の棒（図例では上段棒３Ａ，中段棒３Ｂ，下段棒３Ｃの３本としたが２本又は４本以上としてもよい）が相互挿通状態とされて、伸縮自在となっている。各段の棒を収縮状態にさせることにより、傘としての折り畳み形態にすることができる。なお図示は省略するが、各段の棒を伸長させたときには、各段の棒の端部に設けたボールプッシュ構造等により、意図しない収縮が阻止されるようになっている。
【００１２】
中棒３には下ロクロ６が上下動自在に設けられており、この下ロクロ６には、その周方向に８箇所の下部ジョイント部７が均等配置で設けられている。また中棒３の頭頂部には上ロクロ８が設けられており、この上ロクロ８には、その周方向に下部ジョイント部７と同数の頭頂ジョイント部１０が均等配置で設けられている。
下ロクロ６において、８箇所の下部ジョイント部７のうち、周方向で互いに相隣関係を有する５箇所の下部ジョイント部７には、標準長さの標準受け骨１５が連結されている。
また、この標準受け骨１５が連結された下部ジョイント部７の数と同数になるようにし、且つ同配置（対応した位置関係）となるようにして、上ロクロ８の頭頂ジョイント部１０に、標準長の標準親骨１６が連結されている。
【００１３】
そして、各標準受け骨１５は、下部ジョイント部７への連結端とは反対側となる方の端部１７が、各対応配置となる標準親骨１６の中間部に連結されている。
一方、下ロクロ６において、８箇所の下部ジョイント部７のうち、周方向で互いに相隣関係を有する３箇所の下部ジョイント部７（即ち、標準受け骨１５が連結されている以外のもの）には、長身受け骨１８が連結されている。この長身受け骨１８は、標準受け骨１５よりも長く形成されている。
また、この長身受け骨１８が連結された下部ジョイント部７と同数になるようにし、且つ同配置（対応した位置関係）となるようにして、上ロクロ８の頭頂ジョイント部１０に、吊り骨１９が連結されている。
【００１４】
この吊り骨１９の先端部２０は、長身受け骨１８の中間部に連結されており、これによって長身受け骨１８を、その先端部２１が斜め上方へ指向するように引き上げている。
長身受け骨１８の先端部２１には分離親骨２３が連結されている。この分離親骨２３は、上ロクロ８の頭頂ジョイント部１０から径方向外方（図１の左方）へ所定寸法だけ離反した位置に基端部２４を配するようにして設けられているが、この基端部２４より若干先（同じく図１ではその左方側に該当）となる部分で、長身受け骨１８の先端部２１と連結されている。
【００１５】
このような状況から、分離親骨２３の基端部２４は、長身受け骨１８（先端部２１）との連結位置よりも、径方向内方（図１の右方であって頭頂ジョイント部１０に近接する方向）へ突出するようになっている。このような状態にある分離親骨２３の基端部２４に対し、これと吊り骨１９との間に、長身受け骨１８と平行するような状態で子杆２５が連結されている。この子杆２５は、バネ線材やステンレス製の針金など、ある程度の可撓性をと、この可撓性に対応した弾性復元性とを有した線材によって形成されている。
標準親骨１６の先端部や分離親骨２３の先端部には、それぞれ折り親骨３０，３１が折り畳み自在に連結されている。標準親骨１６に連結された折り親骨３０は、分離親骨２３に連結された折り親骨３１よりも長く形成されている。
【００１６】
但し、標準親骨１６に連結された折り親骨３０は、中棒３（上ロクロ８）までの間に標準親骨１６の長さが介在されているだけであるのに比べて、分離親骨２３に連結された折り親骨３１は、中棒３（上ロクロ８や下ロクロ６）までの間に分離親骨２３の長さと、長身受け骨１８及び吊り骨１９で支持される長さとが加算して介在されていることになる。
そのため、中棒３の中心から、標準親骨１６に連結された折り親骨３０の先端部までの張り出し長さＬ２よりも、中棒３の中心から、分離親骨２３に連結された折り親骨３１の先端部までの張り出し長さＬ１の方が、結果として長く形成されているものである。
【００１７】
これら標準親骨１６、分離親骨２３、折り親骨３０，３１によって支持される上部に、非対称形の傘布５が被せられ、各親骨と糸により固定されることで、この傘布５が張り付けられている。傘布５は、図２に示すような非対称形に形成されている。なお、吊り骨１９に対して子杆２５が連結された部分と、この折り畳み傘１を開いたとき上記連結部分に最接近する傘布５との間に、糸３３が張り渡されている。この糸３３は、折り畳み傘１を閉じるときに傘布５がうまく折り畳まれるようにする（引き込むようにする）ためのものである。
【００１８】
ところで、折り畳み傘１を閉じるときに、下ロクロ６を可及的に下降させたとする（図３は下ロクロ６を下降させる途中であって最も下降させたときには吊り骨１９が中棒３と略平行する状態になる）。
この場合、上ロクロ８の頭頂ジョイント部１０から下ロクロ６の下部ジョイント部７までの距離と、長身受け骨１８の長さとを比較すると、両者は同等の長さか又は長身受け骨１８の方が短くなるように形成されている。このような長さ関係は、この折り畳み傘１を折り畳んだとき、長身受け骨１８の先端部２１が上ロクロ８を越えて突出することがなくなる目安となり、その結果、折り姿の見栄えが一層よくなる。
【００１９】
また、分離親骨２３の長さと、この分離親骨２３に対して連結された折り親骨３１との長さを比べた場合には、両者は同等の長さか又は折り親骨３１の方が短くなるように形成されている。このような長さ関係は、この折り畳み傘１を折り畳んだとき、折り親骨３１の先端部が分離親骨２３の基端部２４を越えて突出することがなくなる目安となり、その結果、折り姿の見栄えが一層よくなる。
このような構成を具備した折り畳み傘１では、開いたとき（傘布５を広げた状態としたとき）に、この傘布５が標準親骨１６、分離親骨２３、折り親骨３０，３１によって可及的に支持される構造になっている。従って、傘布５の支持が確実なものとなり、丈夫で、見栄えよく、更には差し心地に優れたものとなる。
【００２０】
ところで、本考案は、上記実施形態に限定されるものではなく、実施の形態に応じて適宜変更可能である。
例えば、下ロクロ６の下部ジョイント部７や上ロクロ８の頭頂ジョイント部１０は、８箇所より多くすることができる。すなわち、下ロクロ６では５箇所より多い下部ジョイント部７に標準受け骨を連結したり、３箇所より多い下部ジョイント部７に長身受け骨を連結したりすることができる。これらのジョイント部数を多くすればするほど、傘布５を広げたときの平面視形状（外周輪郭）は滑らかな円弧を描くようになり、見栄えがよくなる。
【００２１】
３本以上設けることになる長身受け骨１８、吊り骨１９、分離親骨２３、折り親骨３１のそれぞれにおいて、各長さを、３本同じに揃えたり、或いは違えたりすることは適宜行えるものである。
【図面の簡単な説明】
【００２２】
【図１】図２のＡ−Ａ線断面図である。
【図２】本考案に係る折り畳み傘の一実施形態を示した平面図である。
【図３】図１の状態から折り畳みを開始した途中の様子を示した側断面図である。
【符号の説明】
【００２３】
１  折り畳み傘
２  把手部
３  中棒
５  傘布
６  下ロクロ
７  下部ジョイント部
８  上ロクロ
１０  頭部ジョイント部
１５  標準受け骨
１６  標準親骨
１７  標準受け骨の他端部
１８  長身受け骨
１９  吊り骨
２１  長身受け骨の先端部
２３  分離親骨
２４  分離親骨の基端部
２５  子杆
３０  標準親骨に連結された折り親骨
３１  分離親骨に連結された折り親骨
【図１】
0003148680.tif 000003
【図２】
0003148680.tif 000004
【図３】
0003148680.tif 000005